(57)【特許請求の範囲】
【請求項１】
ケーブルの端末をブラケットに固定するためのケーブル固定装置であって、
前記ケーブルの端末に固定され、前記ブラケットと軸方向に対向する保持面を形成するソケット部と、
互いの傾斜面と平行に相対移動することで軸方向の厚みを調節できる一組のスペーサ部材、及び前記軸方向の厚みが増大する方向へ前記一組のスペーサ部材に対して弾力を付与する弾性体を備えたスペーサ手段とを有し、
前記ソケット部の保持面と前記ブラケットとの間に形成される空間に前記スペーサ手段が挿入されていることを特徴とするケーブル固定装置。
【請求項２】
請求項１に記載したケーブル固定装置において、
前記ソケット部は、前記保持面と軸方向に所定の間隔を隔てて対向する係止面を有し、
前記ブラケットに前記ソケット部の係止面を当接させた状態で、前記ブラケットと前記ソケット部の保持面との間に生じる空間に前記スペーサ手段が挿入され、このスペーサ手段と前記ソケット部の係止面との間に前記ブラケットを挟持していることを特徴とするケーブル固定装置。
【請求項３】
請求項１または２に記載したケーブル固定装置において、
前記傾斜面は、前記ケーブルの操作方向に対して８０度以上の傾斜角度を有していることを特徴とするケーブル固定装置。
【発明の詳細な説明】
【０００１】
【発明の属する技術分野】
本発明は、ケーブルの端末をブラケットに固定するためのケーブル固定装置に関する。
【０００２】
【従来の技術】
従来技術として、例えば図６に示すケーブル固定装置が公知である。
このケーブル固定装置は、ケーブル１００の端末に取り付けられたソケット１１０をブラケット１２０に固定するもので、図６に示すように、ブラケット１２０にはソケット１１０の端部が挿通できる大きさの丸孔１２１が形成され、ソケット１１０にはブラケット１２０に当接する段差面１１１と、クリップ１３０を差し込むための溝部１１２とが形成されている。固定方法を説明すると、図７に示すように、ソケット１１０の端部側をブラケット１２０の丸孔１２１に挿通してソケット１１０の段差面１１１をブラケット１２０に当接させ、ソケット１１０の溝部１１２にクリップ１３０を差し込み、そのクリップ１３０の弾力によってソケット１１０をブラケット１２０に固定している。
【０００３】
【発明が解決しようとする課題】
ところが、上記のケーブル固定装置は、クリップ１３０の弾力によって各部材間（ブラケット１２０とソケット１１０との間、ブラケット１２０とクリップ１３０との間、クリップ１３０とソケット１１０との間）に摩擦力を発生させ、その摩擦力によりクリップ１３０の脱落を防止してソケット１１０をブラケット１２０に固定している。従って、ブラケット１２０及びソケット１１０に対してクリップ１３０が容易に脱落できない程度に大きな摩擦力を発生させる必要があるため、クリップ１３０には或る程度の厚みと剛性を持たせてある。このため、クリップ１３０をソケット１１０の溝部１１２に差し込む際には、ハンマー等でクリップ１３０を打ち込む必要があり、手作業によりクリップ１３０を簡単に取り付けることができないため、作業性が悪いという問題があった。
本発明は、上記事情に基づいて成されたもので、その目的は、ブラケットに対して軸方向のガタツキがなく、且つ大きな操作力を必要とせず、簡単に取り付けることができるケーブル固定装置を提供することにある。
【０００６】
【課題を解決するための手段】
（請求項１の手段）
ケーブルの端末をブラケットに固定するためのケーブル固定装置であって、ケーブルの端末に固定され、ブラケットと軸方向に対向する保持面を形成するソケット部と、互いの傾斜面と平行に相対移動することで軸方向の厚みを調節できる一組のスペーサ部材、及び軸方向の厚みが増大する方向へ一組のスペーサ部材に対して弾力を付与する弾性体を備えたスペーサ手段とを有し、ソケット部の保持面とブラケットとの間に形成される空間にスペーサ手段が挿入されている。
【０００７】
この場合、ソケット部の保持面とブラケットとの間に形成される空間にスペーサ手段が挿入され、そのスペーサ手段の軸方向の厚みが増大することにより、ブラケットに対するケーブル固定装置の軸方向のガタツキを無くすことができる。また、弾性体の弾力に抗してスペーサ手段の厚みを縮小した状態でソケット部の保持面とブラケットとの間に形成される空間にスペーサ手段を挿入できるので、スペーサ手段をハンマー等で打ち込む必要はなく、スペーサ手段の取り付けを小さな力で容易に行うことができる。
【０００８】
（請求項２の手段）
請求項１に記載したケーブル固定装置において、
ソケット部は、保持面と軸方向に所定の間隔を隔てて対向する係止面を有し、
ブラケットにソケット部の係止面を当接させた状態で、ブラケットとソケット部の保持面との間に生じる空間にスペーサ手段が挿入され、このスペーサ手段とソケット部の係止面との間にブラケットを挟持している。この構成により、請求項１の手段に記載した作用及び効果が得られる。
【０００９】
（請求項３の手段）
請求項１または２に記載したケーブル固定装置において、
傾斜面は、ケーブルの操作方向に対して８０度以上の傾斜角度を有している。
この場合、ケーブルを操作する力が傾斜面と平行に働く分力を小さくできるので、ケーブルを操作した時に弾性体の弾力に抗してスペーサ部材が脱落することを防止できる。従って、弾性体には、ケーブルの操作力より大きな荷重（弾力）を与える必要はなく、ケーブルの操作力に対してブラケットとスペーサ部材との間に摩擦力を付与できる程度の荷重が得られれば良い。
【００１０】
【発明の実施の形態】
次に、本発明の実施例を図面に基づいて説明する。
（第１実施例）
図１はケーブル固定装置の取付工程を示す工程図である。
本実施例のケーブル１は、例えば車両用のシフトコントロールケーブル、スロットルケーブル、足踏み式パーキングブレーキ用ケーブル等に用いられるもので、アウタケーブル１ａとインナケーブル１ｂを有している。
【００１１】
アウタケーブル１ａは、例えば樹脂製で筒状に設けられ、両端部が下述のケーブル固定装置を介してそれぞれ車両のブラケット２（図２参照）に固定される。
インナケーブル１ｂは、アウタケーブル１ａの内周に摺動自在に挿通され、一端が駆動手段（例えばプッシュロッド、プッシュボタン、レバー等）に連結され、他端が従動手段（例えばリンクレバー、カムレバー等）に連結されて、駆動手段の操作力を従動手段に伝達する。
ブラケット２は、例えば略一定の厚みを有する鉄板から成り、ケーブル固定装置を組み付けるための開口部２ａを有している（図２参照）。
【００１２】
ケーブル固定装置は、図２に示すように、アウタケーブル１ａの端部に取り付けられるソケット部３と、このソケット部３をブラケット２に固定するためのスペーサ手段４とを備える。
ソケット部３は、内部をケーブル１が挿通する円筒体に設けられ、この円筒体の外周にフランジ部３Ａ、小径円筒部３Ｂ、大径円筒部３Ｃを有している。フランジ部３Ａは、ソケット部３の軸方向一端側に設けられ、フランジ部３Ａの内側端面（小径円筒部３Ｂ側の端面）がブラケット２に係止する係止面３ａとなっている。小径円筒部３Ｂは、フランジ部３Ａと大径円筒部３Ｃとの間に設けられ、フランジ部３Ａ及び大径円筒部３Ｃより外径が小さく、軸方向にブラケット２とスペーサ手段４を挿入できるだけの長さを有している。大径円筒部３Ｃは、アウタケーブル１ａの取付け部を構成するとともに、大径円筒部３Ｃの内側端面（小径円筒部３Ｂ側の端面）がブラケット２との間にスペーサ手段４を保持する保持面３ｂ（図１参照）となっている。
【００１３】
スペーサ手段４は、一組のスペーサ部材５と両スペーサ部材５に弾力を付与するスプリング６（図１参照）とから成る。
一組のスペーサ部材５は、その平面形状が略同形状（略コの字形）に設けられ、図１に示すように、それぞれ厚み方向の一端側の面（以下傾斜面５ａと呼ぶ）が他端側の面（以下背面５ｂと呼ぶ）に対し所定の角度（例えば５度）傾斜して設けられ、その傾斜面５ａを向かい合わせて、互いの傾斜面５ａと平行に相対移動できるように組み合わされている。従って、この一組のスペーサ部材５は互いの傾斜面５ａと平行に相対移動することにより、軸方向の厚み（互いの背面５ｂ間の距離）を増減できる。
スプリング６は、図１に示すように、両スペーサ部材５の間に配されて、互いの傾斜面５ａと平行に、且つスペーサ手段４の軸方向の厚みが増大する方向へ各スペーサ部材５に対して弾力を付与している。
【００１４】
次に、ケーブル固定装置をブラケット２に固定する方法について、図１を参照しながら説明する。
先ず、図１（ａ）に示すように、ブラケット２の開口部２ａにソケット部３の小径円筒部３Ｂを挿入し、ソケット部３の係止面３ａをブラケット２に当接させる。
続いて、図１（ｂ）に示すように、ブラケット２とソケット部３の保持面３ｂとの間に生じる空間にスペーサ手段４を挿入する。この時、スペーサ手段４は、スプリング６を押し縮めて両スペーサ部材５を相対移動させ、軸方向の厚みがブラケット２とソケット部３の保持面３ｂとの間隔より若干小さくなるように保持しながら前記空間に挿入される。
【００１５】
ソケット部３に対しスペーサ手段４を所定の位置まで挿入した後、図１（ｃ）に示すように、スプリング６の弾力によってスペーサ手段４の軸方向の厚みを増大させ、ブラケット２とスペーサ部材５との間に生じる摩擦力によってスペーサ手段４を固定する。
なお、アウタケーブル１ａは、ケーブル固定装置をブラケット２に固定する前に予めソケット部３に取り付けても良いし、ケーブル固定装置をブラケット２に固定してからソケット部３に取り付けても良い。
【００１６】
（第１実施例の効果）
本実施例では、ブラケット２とソケット部３の保持面３ｂとの間に形成される空間にスペーサ手段４を挿入した後、一組のスペーサ部材５の相対移動によってスペーサ手段４の軸方向の厚みを増大させることにより、ブラケット２に対するケーブル固定装置の軸方向のガタツキを無くすことができる。
また、スペーサ手段４は、一組のスペーサ部材５の傾斜面５ａが背面５ｂに対して５度程度、つまりケーブル１の操作方向に対して８５度の傾斜角度を有している。この場合、ケーブル１を操作する力が傾斜面５ａと平行に働く分力を小さくできるので、ケーブル１を操作した時にスプリング６の弾力に抗してスペーサ部材５が移動することを防止できる。
【００１７】
従って、スペーサ手段４に使用されるスプリング６は、ケーブル１の操作力（例えば１０〜２０kgf ）より大きな荷重（弾力）を有する必要はなく、スペーサ手段４とブラケット２との隙間を埋めるために一組のスペーサ部材５を傾斜面５ａと平行に相対移動させることができる程度の荷重（例えば２kgf 程度）を有していれば良い。これにより、スペーサ手段４をブラケット２とソケット部３の保持面３ｂとの間に形成される空間に挿入する際には、容易にスプリング６の弾力に抗してスペーサ手段４の厚みを縮小した状態を保つことができるので、スペーサ手段４をハンマー等で打ち込む必要はなく、作業者が手作業でスペーサ手段４を上記の空間に挿入することができる。
【００１８】
また、スペーサ手段４は、一組のスペーサ部材５に対し軸方向の厚みが増大する方向にスプリング６の弾力が常時付与されているので、樹脂製品であるスペーサ部材５がクーリプ現象を生じる場合でも、ブラケット２とスペーサ部材５との間に隙間が生じることはなく、ブラケット２に対するガタツキを自動的に吸収できる。
【００１９】
（第２実施例）
本実施例のケーブル固定装置は、図３に示すように、ソケット部３に対するブラケット２とスペーサ手段４との配置を第１実施例と逆にしたものである。従って、ソケット部３は、大径円筒部３Ｃの内側端面がブラケット２に係止する係止面３ａであり、フランジ部３Ａの内側端面がブラケット２との間にスペーサ手段４を保持する保持面３ｂとなる。
本実施例の場合でも、第１実施例と同様の固定方法でケーブル固定装置をブラケット２に固定することができ、且つ第１実施例と同様の作用及び効果を得ることができる。
【００２０】
（参考例）
本参考例は、スペーサ手段４の何方か一方のスペーサ部材５Ａをソケット部３と一体に設けた場合の一例を示す。
一方のスペーサ部材５Ａをソケット部３と一体化したものを図４に示す。また、他方のスペーサ部材５Ｂの形状を図５に示す。
本参考例のケーブル固定装置は、ソケット部３のフランジ部３Ａの内側端面にブラケット２を当てた状態で、そのブラケット２と一方のスペーサ部材５Ａとの間に形成されるくさび状の空間に他方のスペーサ部材５Ｂを挿入し、一方のスペーサ部材５Ａと他方のスペーサ部材５Ｂとの間に配置したスプリング（図示しない）により他方のスペーサ部材５Ｂをくさび状の空間に押し込む構成である。これにより第１実施例と同様の作用及び効果を得ることができる。
【００２１】
また、他方のスペーサ部材５Ｂをソケット部３のフランジ部３Ａに隣接してソケット部３と一体に設けても良い（図示しない）。この場合、ソケット部３の大径円筒部３Ｃの内側端面にブラケット２を当てた状態で、そのブラケット２と他方のスペーサ部材５Ｂとの間に形成されるくさび状の空間に一方のスペーサ部材５Ａを挿入し、一方のスペーサ部材５Ａと他方のスペーサ部材５Ｂとの間に配置したスプリング（図示しない）により一方のスペーサ部材５Ａをくさび状の空間に押し込むことで、上記の場合と同様の作用及び効果を得ることができる。
【図面の簡単な説明】
【図１】ケーブル固定装置の取付工程を示す工程図である。
【図２】ケーブル固定装置とブラケットの斜視図である。
【図３】ケーブル固定装置をブラケットに固定した状態を示す図面である。
【図４】一方のスペーサ部材を一体化したソケット部の形状を示す図面である。
【図５】他方のスペーサ部材の形状を示す図面である。
【図６】従来のケーブル固定方法を示す斜視図である。
【図７】従来のケーブル固定装置をブラケットに固定した状態を示す図面である。
【符号の説明】
１    ケーブル
２    ブラケット
３    ソケット部
３ａ  係止面
３ｂ  保持面
４    スペーサ手段
５    スペーサ部材
５ａ  傾斜面
６    スプリング（弾性体）
【図１】
0004394198.tif 000002
【図２】
0004394198.tif 000003
【図３】
0004394198.tif 000004
【図４】
0004394198.tif 000005
【図５】
0004394198.tif 000006
【図６】
0004394198.tif 000007
【図７】
0004394198.tif 000008